(57)【要約】【課題】  飼い主により記入可能なペット用データ帳を提供すること。【解決手段】  ペットの飼い主、獣医あるいは里親との間でやり取りされるペットの情報を記載したペット用データ帳であって、名前、生年月日、種類、雌雄、予防接種履歴、注意事項の記入欄を設けた第１一覧表と、病状、怪我の状況、その処置、獣医からの指示事項を記載する欄を設けた第２一覧表を備えたペット用データ帳を提供する。ペット用データ帳は、更に飼い主が思い出などを記載できる第３一覧表を備えることができる。【選択図】図２
2015162171.tif 000002
【特許請求の範囲】
【請求項１】
ペットの飼い主、獣医あるいは里親との間でやり取りされるペット情報を記載するデータ帳であって、
名前、生年月日、種類、雌雄、予防接種履歴、注意事項の記入欄を設けた第１一覧表と、
病状、怪我の状況、その処置、獣医からの指示事項を記載する欄を設けた複数の第２一覧表と、
を備えたことを特徴とするペット用データ帳。
【請求項２】
更に、飼い主がペットに関する思い出などの記載が可能な欄を設けた第３一覧表を備えたことを特徴とする請求項１に記載のペット用データ帳。
【請求項３】
前記第１一覧表、第２一覧表、第３一覧表のフォーマットは、情報端末から供給されることを特徴とする請求項１又は２に記載のペット用データ帳。
【請求項４】
前記第１一覧表、複数の第２一覧表が印刷された小冊子であることを特徴とする請求項１に記載のペット用データ帳。
【請求項５】
前記小冊子であるペット用データ帳は、更に飼い主がペットに関する思い出などの記載が可能な欄を設けた第３一覧表を備えたことを特徴とする請求項４に記載のペット用データ帳。
【請求項６】
名前、生年月日、種類、雌雄、予防接種履歴、注意事項の記入欄を設けた第１一覧表と、病状、怪我の状況、その処置、獣医からの指示事項を記載する欄を設けた第２一覧表とを有する記載されたペット用データ帳を、会員が閲覧可能なことを特徴とするウェブサイト。
【発明の詳細な説明】
【技術分野】
【０００１】
本発明は、ペットの情報を管理するシステムに係り、より詳しくは、ペットの経歴、病歴を含むペットの情報を記載したペット用データ帳に関する。
【背景技術】
【０００２】
飼い主がペットのための往診を依頼する場合、獣医としては、ペットの状態を見るまで、詳しい状況が不明で、携行する薬の準備などが難しいことがあった。
【０００３】
又、ペットの飼い主を探すサービス（以下「里親サービス」とする。）が近年行われているが、そのペットに関する詳しい情報はほとんど無く、引き取り手に不安を与える要因となっていた。
【０００４】
更に、ペットに関する情報は、かかりつけのペット病院内専用のカルテに病状、処置された方法、投薬などが記載されているものの、その病院内に保管され、他の病院にまで、開示されるものではなかった。
【発明の概要】
【発明が解決しようとする課題】
【０００５】
本発明は、上記従来の問題点を鑑みてなされたものであって、その目的とするところは、飼い主により記入可能なペット用データ帳を提供することにある。
【課題を解決するための手段】
【０００６】
本発明のペット用データ帳は、上述した目的を達成するため、ペットの飼い主、獣医あるいは里親との間でやり取りされるペットの情報を記載したデータ帳であって、名前、生年月日、種類、雌雄、予防接種履歴、注意事項の記入欄を設けた第１一覧表と、病状、怪我の状況、及びその処置を記載する欄を設けた第２一覧表とを備えることを特徴とする。
【０００７】
更に、本発明のペット用データ帳は、飼い主がペットに関する思い出などを記載可能な欄を設けた第３一覧表を備えてもよい。
【０００８】
前記第１一覧表、第２一覧表、第３一覧表のフォーマットは、パソコン、ノートパソコン、タブレット端末、スマートフォンなどの情報端末から供給されることを特徴とする。
【０００９】
前記第１一覧表、複数の第２一覧表が印刷された小冊子であることを特徴とする。
【００１０】
前記印刷された小冊子は、前記第３一覧表を備えてもよい。
【００１１】
名前、生年月日、種類、雌雄、予防接種履歴、注意事項の記入欄を設けた第１一覧表と、病状、怪我の状況、及びその処置を記載する欄を設けた第２一覧表を有し、その記載されたペット用データ帳を会員が閲覧可能なことを特徴とするウェブサイトを提供する。
【発明の効果】
【００１２】
往診を依頼する場合にも、予め記載された内容を電話で落ち着いて伝えることにより、あるいは前記ウェブサイトを獣医に見てもらうことにより、正確な情報を獣医に伝えることが可能となる。
【００１３】
また、里親サービスでペットの紹介を受ける場合、経歴が記載されたペット用データ帳を共に受け取ることにより、生年月日、予防注射の履歴、過去の病歴、個別の注意事項などを正確に把握することが可能となる。
【００１４】
更に、記載したペット用データ帳を基に、飼い主はセカンドオピニオンを他のペット病院に求めることが可能となる。
【００１５】
更に、第３一覧表が備えられる場合には、飼い主は、思い出帳として活用する楽しみがあり、獣医としては、ペット用データ帳を見ることにより、場合によっては、病気の背景を知ることが可能となる。
【図面の簡単な説明】
【００１６】
【図１】本発明の実施形態に係るペット用データ帳の第１一覧表を示す図である。
【図２】本発明の実施形態に係るペット用データ帳の第２一覧表を示す図である。
【図３】本発明の実施形態に係るペット用データ帳の第３一覧表を示す図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
ペット用データ帳に記載される内容を図１ないし図３に示す。また、記入例を括弧付で示す。
【００１９】
図１を参照すると、第１一覧表１０には、名前、生年月日、ペットの種類（犬種、猫種、鳥種などを含む）、雌雄の別、予防接種の履歴、個別の注意事項を記載する欄１１ないし１６が設けられている。
これらは、そのペットの大まかな情報が一目でわかるという効果を持っており、特に里親サービスにおいて里親を探す場合に有効である。
【００２０】
第２一覧表２０は病歴に関するものである。
図２を参照すると、第２一覧表には、１つのページに病歴ごとの記載をするようになっており、複数の病歴が存在しうるので、複数のページを有してもよい。
その内容は、発生年月日、症状、怪我の状況、それへの処置、獣医からの指示事項を記載する欄２１ないし２４である。
処置については、獣医から聞いた病名や行った処置を記載する。
新たな病気になった場合は、次のページに記載する。
【００２１】
図３を参照すると、第３一覧表３０には、その他の記録で飼い主が思い出などを記載できるものである。
例えば、仔犬の時の１月ごとの体重の変化であっても良いし、一緒に行った旅行の記録であっても良い。
【００２２】
本発明の実施形態は、前記第１一覧表、第２一覧表を含むペット用データ帳であり、そのフォーマットは、パソコン、ノートパソコン、タブレット端末、スマートフォンなどの情報端末から供給され、その記載は、原則的に飼い主が前記情報端末から入力、あるいはプリントアウトしたものに手書きする。
【００２３】
本発明の実施形態では、更に第３一覧表を含んでもよい。第３一覧表も同様に、そのフォーマットは、パソコン、ノートパソコン、タブレット端末、スマートフォンなどの情報端末から供給され、その記載は、原則的に飼い主が前記情報端末から入力、あるいはプリントアウトしたものに手書きする。
【００２４】
上記説明において、記載は、原則的に飼い主が前記情報端末から入力、あるいはプリントアウトしたものに手書きする。としたが、手書きする場合のために、小冊子形態でペット用データ帳が提供されてもよい。
【００２５】
小冊子形態でペット用データ帳が提供される場合、少なくとも第２一覧表は複数提供される。
【００２６】
小冊子形態でペット用データ帳が提供される場合、図示していないが表紙部あるいは裏表紙部に、かかりつけの獣医の電話番号などの獣医との連絡方法を記載する欄を設けることが望ましい。
【００２７】
特に情報端末から入力された場合は、記載された前記第１一覧表、第２一覧表を含むペット用データ帳を、会員が閲覧できるウェブサイトを設けることにより里親探しがより容易になる。
【符号の説明】
【００２８】
１０    第１一覧表
１１    名前記入欄
１２    生年月日記入欄
１３    種類記入欄
１４    雌雄記入欄
１５    予防接種履歴記入欄
１６    注意事項記入欄
２０    第２一覧表
２１    年月日記入欄
２２    症状記入欄
２３    処置記入欄
２４    獣医からの指示記入欄
３０    第３一覧表
【図１】
2015162171.tif 000003
【図２】
2015162171.tif 000004
【図３】
2015162171.tif 000005